(57)【特許請求の範囲】
【請求項１】
ファインダーの視野を形成する視野枠部材と、
入射面及び放射面を有し、視野枠部材位置決め手段を前記入射面又は前記放射面の光軸と垂直な面に有するプリズムと、
ファインダー光学系の前記視野枠部材、前記プリズム、反射ミラー及び接眼レンズが保持される保持枠と、
前記視野枠部材と前記保持枠との間に前記プリズムが、視野枠部材位置決め手段により位置決めして配置され、前記視野枠部材を前記保持枠に固定し、前記視野枠部材と前記保持枠により前記プリズムを挟持するプリズム挟持手段と、
を有することを特徴とするカメラのファインダー装置。
【請求項２】
前記プリズム挟持手段は、前記プリズムを前記視野枠部材と前記保持枠との間に配置し、前記視野枠部材と前記保持枠を締付手段で固定することを特徴とする請求項１記載のカメラのファインダー装置。
【請求項３】
前記視野枠部材位置決め手段は、入射面又は放射面の光軸と平行に設けられたボスであって、前記視野枠部材に設けられた孔と嵌合するよう構成されることを特徴とする請求項１又は請求項２記載のカメラのファインダー装置。
【請求項４】
前記視野枠部材は、視野の大きさを変えることが可能であることを特徴とする請求項１乃至請求項３のいずれかに記載のカメラのファインダー装置。
【発明の詳細な説明】
【０００１】
【発明の属する技術分野】
この発明は、ファインダー光学系にプリズム及び視野枠を備えるカメラのファインダー装置に関するものである。
【０００２】
【従来の技術】
カメラには、例えばカメラ本体にファインダー光学系を保持する光学系保持枠を備え、この光学系保持枠にファインダー光学系を構成するプリズム及び視野枠を組み付けるものがある。
【０００３】
このプリズムの保持構造には、例えば光学系保持枠にプリズムを組み込み、もしくは組み込み接着するものがある。
【０００４】
また、図１３に示すように、プリズム１００に視野枠位置決めボス１００ａを放射面１００ｂと直交する位置に形成し、このプリズム１００の視野枠位置決めボス１００ａを視野枠２００と係合し、プリズム１００と視野枠２００との位置決めを行うものがある。
【０００５】
また、ファインダー光学系に視野枠を備え、この視野枠を、例えばクラッシックサイズ、ハイビジョンサイズ、パノラマサイズ等のプリントサイズに応じて切り替えるものがある。この切替は、例えば図１４に示すように、基準開口孔１１０に対して開口孔１１１ａを有する遮光板１１１が移動可能に配置されている。この遮光板１１１は、視野枠の対角方向に対向した位置に設けたガイドピン１１２，１１３にガイド長孔１１１ｂ，１１１ｃを係合させてあり、駆動孔１１１ｄに係合している遮光板係合部１１４により遮光板１１１を移動させることで、図１４（ａ）のパノラマサイズ、図１４（ｂ）のハイビジョンサイズ、図１４（ｃ）のクラッシックサイズの視野枠に切替えられる。実際には、逆の動きをするもう１枚の遮光板を組み合わせて視野枠を切替える。
【０００６】
また、例えば図１５に示すように、基準開口孔１２０に対して開口孔１２１ａを有する遮光板１２１が移動可能に配置され、この遮光板１２１は、視野枠の長手方向に対向した位置に設けたガイドピン１２２，１２３にガイド長孔１２１ｂ，１２１ｃを係合させてあり、駆動孔１２１ｄに係合している遮光板係合部１２４により遮光板１２１を移動させることで、図１５（ａ）のパノラマサイズ、図１５（ｂ）のハイビジョンサイズ、図１５（ｃ）のクラッシックサイズの視野枠に切替えられるものがある。実際には、逆の動きをするもう一枚を組み合わせて視野枠を切り換える。
【０００７】
【発明が解決しようとする課題】
光学系保持枠にプリズムを単に組み込み、もしくは組み込み接着するものでは、プリズムの取り付け位置が正確でなく位置ずれが生じる恐れがある。また、プリズムの取り付け位置を高精度にするために、光学系保持枠の成形時の抜きテーパをなくすと、プリズムが組み込みにくくなる。
【０００８】
また、図１３に示すようにプリズムに視野枠位置決めボスを放射面と直交した位置に形成し、このプリズムの視野枠位置決めボスを視野枠に係合して位置決めを行うものでは、放射面と直交した位置に視野枠位置決めボスがあるため、金型が入子構造になり高くなる。さらに、視野枠位置決めボスによる位置決めだけでは放射面と視野枠にずれが生じる。
【０００９】
さらに、ファインダー光学系に視野枠が備えられるが、図１４に示すように視野枠の対角方向に対向した位置にガイド長孔を配置したものは、視野枠の上下方向に広いスペースが必要である。また、図１５に示すように視野枠の長手方向に対向した位置にガイド長孔を配置したものは、上下方向のスペースは狭くすることができるが視野枠の切替の動作に負荷がかかり、正確な作動が得られない。
【００１０】
この発明は、前記課題を解決し、プリズムを安価に製造可能で、しかも高精度にかつ確実に組付可能なカメラのファインダ装置を提供することを目的としている。
【００１１】
【課題を解決するための手段】
前記課題を解決し、かつ目的を達成するために、この発明は、以下のように構成した。
請求項１記載の発明は、『ファインダーの視野を形成する視野枠部材と、
入射面及び放射面を有し、視野枠部材位置決め手段を前記入射面又は前記放射面の光軸と垂直な面に有するプリズムと、
ファインダー光学系の前記視野枠部材、前記プリズム、反射ミラー及び接眼レンズが保持される保持枠と、
前記視野枠部材と前記保持枠との間に前記プリズムが、視野枠部材位置決め手段により位置決めして配置され、前記視野枠部材を前記保持枠に固定し、前記視野枠部材と前記保持枠により前記プリズムを挟持するプリズム挟持手段と、
を有することを特徴とするカメラのファインダー装置。』であり、視野枠部材と保持枠によりプリズムを挟持して確実に保持することができ、また視野枠部材位置決め手段をプリズムの入射面又は放射面の光軸と垂直な面に設けており、従来のような入子が不要であり金型が安くなり、また視野枠部材と保持枠によるプリズムの設置精度が向上する。
【００１２】
請求項２記載の発明は、『前記プリズム挟持手段は、前記プリズムを前記視野枠部材と前記保持枠との間に配置し、前記視野枠部材と前記保持枠を締付手段で固定することを特徴とする請求項１記載のカメラのファインダー装置。』であり、プリズムを視野枠部材と保持枠との間に配置し、プリズムを挟み込むように固定することで、プリズムが組み込みやすく高精度に設置でき、しかもプリズムと視野枠部材の間にゴミが入らない。
【００１３】
請求項３記載の発明は、『前記視野枠部材位置決め手段は、入射面又は放射面の光軸と平行に設けられたボスであって、前記視野枠部材に設けられた孔と嵌合するよう構成されることを特徴とする請求項１又は請求項２記載のカメラのファインダー装置。』であり、光軸に対して視野枠部材を周辺まで直角に取り付けることができる。
【００１４】
請求項４記載の発明は、『前記視野枠部材は、視野の大きさを変えることが可能であることを特徴とする請求項１乃至請求項３のいずれかに記載のカメラのファインダー装置。』であり、視野枠部材により視野の大きさを変えることが可能である。
【００１９】
【発明の実施の形態】
以下、この発明のカメラのファインダー装置を図面に基づいて詳細に説明する。図１はファインダー装置を組み付けたカメラの概略横断面図、図２はファインダー装置の断面図、図３は図２のIII-III線に沿う断面図、図４はファインダー装置の拡大断面図、図５はプリズムの組付け状態を示す断面図、図６はプリズムの斜視図、図７はプリズムを示す図、図８は視野枠部材の構成を説明する図、図９は視野枠部材の分解斜視図、図１０は基準開口孔を有する部材を示す図、図１１は一方の遮光板を示す図、図１２は他方の遮光板を示す図である。
【００２０】
先ず、ファインダー装置のプリズム取付構造について説明する。カメラ１は、カメラ本体２を前面カバー３と後面カバー４で覆うように組立られる。カメラ本体２には、ファインダー装置１０が組み付けられている。
【００２１】
ファインダー装置１０は、ファインダー光学系１１を有している。このファインダー光学系１１は、対物レンズ１３、接眼レンズ１４、カメラ１のズームに連動するレンズ群１５、プリズム１６、反射ミラー１７及びファインダーの視野を形成する視野枠部材３００から構成され、これらは保持枠１２，９０に組み付けられている。保持枠１２，９０は、カメラ本体２に組み付けられ、保持枠１２の上に保持枠９０が組み付けられ、保持枠９０には対物レンズ１３、カメラ１のズームに連動するレンズ群１５が保持される。プリズム１６は、保持枠１２と保持枠９０とで保持され、反射ミラー１７、視野枠部材３００及び接眼レンズ１４は保持枠１２に保持される。
【００２２】
視野枠部材３００は、保持枠１２の収納部１２ｂに配置されている。この視野枠部材３００は、視野枠３０と、開口枠３１と、この視野枠３０と開口枠３１の間に配置され視野枠３０と開口枠３１に対して移動可能な一対の遮光板３２，３３と、一対の遮光板３２，３３を移動させる遮光板駆動部材３４と、一対の遮光板３２，３３の移動を案内する案内部材５０とを有し、プリントサイズに応じて遮光板駆動部材３４を駆動して一対の遮光板３２，３３を移動しファインダーの視野の大きさを切り替えるように構成されている。
【００２３】
プリズム１６は、図６及び図７に示すように、透明な樹脂により射出成形で形成される。プリズム１６の入射面１６ａに入射される光は、第１反射面１６ｂ、第２反射面１６ｃ、第３反射面１６ｄの順に反射し、放射面１６ｅから放射され、入射光に対して放射光の位置が変わり、かつ直交する方向になっている。
【００２４】
また、プリズム１６は、視野枠部材位置決め手段を放射面１６ｅの光軸と垂直な面に有し、視野枠部材位置決め手段は、放射面１６ｅの光軸と平行に設けられた一対のボス１６ｇであって、図９に示す視野枠部材３００の視野枠３０に設けられた一対の孔３０ｇと嵌合するよう構成される。
【００２５】
尚、本実施例ではプリズム１６の放射面１６ｅに視野枠部材３００を配置し、かつ視野枠部材位置決め手段を放射面１６ｅの光軸と垂直な面に放射面１６ｅの光軸と平行に一対のボス１６ｇとして設けたが、プリズムの入射面に視野枠部材を配置し、かつ視野枠部材位置決め手段を入射面の光軸と垂直な面に入射面の光軸と平行に設けてもよい。更に、プリズムにボスを設けるのではなく、ボスは視野枠部材側に設け、プリズム側にはそのボスが嵌合する孔を設けるように構成してもよい。
【００２６】
このプリズム１６は、図４及び図５に示すように、視野枠部材３００と保持枠１２の壁１２ａとの間に配置されている。一対のボス１６ｇは視野枠部材３００の視野枠３０に設けられた一対の孔３０ｇに嵌合し、図６に示すように放射面１６ｅから放射される光が論理的な視野面１８に直交するように組み付けられ、位置ずれがなく、しかも組付けが容易になっている。また、視野枠部材３００の視野枠３０にはネジ孔３０ａが形成され、この視野枠３０と保持枠１２を締付手段を構成するネジ１９により締付固定し、プリズム１６が保持枠１２の壁１２ａに圧接される。
【００２７】
このように、カメラのファインダー装置１０は、ファインダーの視野を形成する視野枠部材３００と、入射面１６ａ及び放射面１６ｅを有するプリズム１６であって、視野枠部材位置決め手段を入射面１６ａ又は放射面１６ｅの光軸と垂直な面に有するプリズム１６と、視野枠部材３００とプリズム１６を保持する保持枠１２と、視野枠部材３００と保持枠１２によりプリズム１６を挟持するプリズム挟持手段Ｂとを有し、視野枠部材位置決め手段をプリズム１６の入射面１６ａ又は放射面１６ｅの光軸と垂直な面に設けており、従来のような入子が不要であり金型が安くなり、また視野枠部材３００と保持枠１２によりプリズム１６を挟持し高精度に設置できる。
【００２８】
また、プリズム挟持手段Ｂは、プリズム１６を視野枠部材３００と保持枠１２との間に配置し、視野枠部材３００と保持枠１２を締付手段を構成するネジ１９により締付固定し、プリズム１６を挟み込むように固定したから、プリズム１６が組み込みやすく高精度に設置でき、しかもプリズム１６と視野枠部材３００の間にゴミが入らない。
【００２９】
また、視野枠部材位置決め手段は、本実施例では放射面１６ｅの光軸と平行に設けられたボス１６ｇであって、視野枠部材３００の視野枠３０に設けられた孔３０ｇと嵌合するよう構成されており、光軸に対して視野枠部材３００を周辺まで直角に取り付けることができる。
【００３０】
次に、ファインダー装置１０の視野枠部材の構造を詳細に説明する。
【００３１】
視野枠部材３００の一対の遮光板３２，３３は、中央部に開口部３２ａ，３３ａを有し、開口部３２ａ，３３ａの一方に１つの円形係合部３２ｂ，３３ｂを、他方に１つの円弧状案内経路３２ｃ，３３ｃとを有し、円弧状案内経路３２ｃ，３３ｃと円形係合部３２ｂ，３３ｂとが開口部３２ａ，３３ａを挟んで配置されている。遮光板３２には、円形係合部３２ｂを軸心とする円弧状の逃げ部３２ｄ，３２ｅが形成されている。遮光板３３には、円形係合部３３ｂの近傍を切り欠いて逃げ部３３ｄが形成されている。
【００３２】
視野枠３０及び開口枠３１は、中央部に開口部３０ｂ，３１ａを有し、開口部３０ｂ，３１ａの一方に支持孔３０ｃ，３１ｂが形成されている。視野枠３０の支持孔３０ｃの廻りには、円弧状の逃げ長孔３０ｄ，３０ｅが形成され、開口枠３１の支持孔３１ｂの廻りには、円弧状の逃げ長孔３１ｃ，３１ｄが形成されている。また、視野枠３０及び開口枠３１には、開口部３０ｂ，３１ａの他方にピン孔３０ｆ，３１ｅが形成されている。
【００３３】
遮光板駆動部材３４は、遮光板３２，３３の円形係合部３２ｂ，３３ｂと嵌合し遮光板３２，３３を円弧運動させる遮光板係合部５４，５６を有する。また、遮光板駆動部材３４は、中央に貫通孔３４ａが形成され、この貫通孔３４ａの廻りの対称位置にピン孔３４ｂ，３４ｃが形成され、アーム部３４ｄにピン孔３４ｅが形成されている。遮光板係合部５４はピン孔３４ｂに取り付けられ、遮光板係合部５６はピン孔３４ｃに取り付けられ、遮光板駆動部材３４は、二つの遮光板係合部５４，５６で一対の遮光板３２，３３を互いに逆方向に駆動する。
【００３４】
視野枠３０及び開口枠３１の間に一対の遮光板３２，３３を配置し、視野枠３０側から案内部材５０をピン孔３０ｆ、円弧状案内経路３２ｃ，３３ｃ、ピン孔３１ｅに挿入し、案内部材５０をカシメている。
【００３５】
また、視野枠３０側から遮光板駆動部材３４を当てがい、回転ピン５２を貫通孔３４ａ、支持孔３０ｃ、逃げ部３２ｄ、逃げ部３３ｄ、支持孔３１ｂに挿入し、回転ピン５２をカシメている。遮光板係合部５４を逃げ長孔３０ｄ、円形係合部３２ｂ、逃げ長孔３１ｃに挿入し、遮光板係合部５４の頭部に遮光板駆動部材３４のピン孔３４ｂを挿入し、遮光板係合部５４をカシメている。遮光板係合部５６を逃げ長孔３０ｅ，３２ｅ、円形係合部３３ｂ、逃げ長孔３１ｄに挿入し、遮光板係合部５６の頭部に切遮光板駆動部材３４のピン孔３４ｃを挿入し、遮光板係合部５６をカシメている。
【００３６】
さらに、遮光板駆動部材３４のピン孔３４ｅに取付ピン５８を介して図示しない操作部材が接続され、ファインダーの視野を、例えばクラッシックサイズ、ハイビジョンサイズ、パノラマサイズ等のプリントサイブに応じて切り替える。この切替は、図８に示す。遮光板駆動部材３４のアーム部３４ｄが図８（ａ）に示すように右側に位置する時が、一対の遮光板３２，３３が開口部３０ｂ，３１ａの両側を遮光し、ファインダーの視野がクラッシックサイズになり、図８（ｂ）に示すように中間に位置する時が、一対の遮光板３２，３３が開口部３０ｂ，３１ａを遮光しないため、ファインダーの視野がハイビジョンサイズになり、図８（ｃ）に示すように左側に位置する時が、一対の遮光板３２，３３が開口部３０ｂ，３１ａの上下を遮光し、ファインダーの視野がパノラマサイズになる。
【００３７】
このように、視野枠部材３００は、円弧状案内経路３２ｃ，３３ｃと円形係合部３２ｂ，３３ｂとを開口部３２ａ，３３ａを挟んで配置した遮光板３２，３３と、この遮光板３２，３３の円形係合部３２ｂ，３３ｂと嵌合し遮光板３２，３３を円弧運動させる遮光板係合部５４，５６を有する遮光板駆動部材３４と、遮光板３２，３３の円弧状案内経路３２ｃ，３３ｃと係合する案内部材５０とを有しており、遮光板駆動部材３４と案内部材５０との位置が離れていることで、一対の遮光板３２，３３の移動誤差を少なくでき、一対の遮光板３２，３３の切替精度が向上する。また、遮光板３２，３３は、遮光板駆動部材３４の円弧運動により移動するため、動きが円滑で精度が高い。さらに、遮光板駆動部材３４に取り付けられた遮光板係合部５４，５６は各々遮光板３２，３３の案内部材を兼ねているので部品点数が減り、コスト削減になる。
【００３８】
また、遮光板駆動部材３４は、二つの遮光板係合部５４，５６を有し、この二つの遮光板係合部５４，５６で一対の遮光板３２，３３を円弧運動により互いに逆方向に駆動するから、一対の遮光板３２，３３の動きが円滑で精度が高い。
【００３９】
また、遮光板３２，３３の円弧状案内経路３２ｃ，３３ｃの円弧は、遮光板駆動部材３４の遮光板係合部５４，５６が遮光板３２，３３を駆動する際に描く円弧とは逆方向の円弧であり、一対の遮光板３２，３３が遮光板駆動部材３４の円弧運動により互いに逆方向に円滑に移動することができる。
【００４０】
さらに、案内部材５０と遮光板駆動部材３４は、基準開口孔である開口部３０ｂを有する部材視野枠３０に設けられており、簡単な構成で、一対の遮光板３２，３３を円滑に作動させることができる。
【００４１】
また、遮光板３２には、円形係合部３２ｂを軸心とする円弧状の逃げ部３２ｄ，３２ｅが形成され，遮光板３３には、円形係合部３３ｂの近傍を切り欠いて逃げ部３３ｄが形成されており、簡単な構成で、一対の遮光板３２，３３を遮光板駆動部材３４の円形係合部３２ｂ，３３ｂや回転ピン５２と干渉することなく作動させることができる。
【００４２】
【発明の効果】
前記したように、請求項１記載の発明では、視野枠部材と保持枠によりプリズムを挟持して確実に保持することができ、また視野枠部材位置決め手段をプリズムの入射面又は放射面の光軸と垂直な面に設けており、従来のような入子が不要であり金型が安くなり、また視野枠部材と保持枠によるプリズムの設置精度が向上する。
【００４３】
請求項２記載の発明では、プリズムを視野枠部材と保持枠との間に配置し、プリズムを挟み込むように固定するから、プリズムが組み込みやすく高精度に設置でき、しかもプリズムと視野枠部材の間にゴミが入らない。
【００４４】
請求項３記載の発明では、視野枠部材位置決め手段が、入射面又は放射面の光軸と平行に設けられたボスであって、前記視野枠部材に設けられた孔と嵌合するから、光軸に対して視野枠部材を周辺まで直角に取り付けることができる。
【００４５】
請求項４記載の発明では、視野枠部材により視野の大きさを変えることが可能である。
【図面の簡単な説明】
【図１】ファインダー装置を組み付けたカメラの概略横断面図である。
【図２】ファインダー装置の断面図である。
【図３】図２のIII-III線に沿う断面図である。
【図４】ファインダー装置の拡大断面図である。
【図５】プリズムの組付け状態を示す断面図である。
【図６】プリズムの斜視図である。
【図７】プリズムを示す図である。
【図８】視野枠部材の構成を説明する図である。
【図９】視野枠部材の構成部材の分解斜視図である。
【図１０】視野枠を示す図である。
【図１１】一方の遮光板を示す図である。
【図１２】他方の遮光板を示す図である。
【図１３】従来のプリズムの組み込みを示す図である。
【図１４】従来のファインダー光学系の視野枠を示す図である。
【図１５】従来の他のファインダー光学系の視野枠を示す図である。
【符号の説明】
１  カメラ
２  カメラ本体
３  前面カバー
４  後面カバー
１０  ファインダー装置
１１  ファインダー光学系
１２，９０  保持枠
１２ａ  保持枠１２の壁
１６  プリズム
３００  視野枠部材
Ｂ  プリズム挟持手段
【図１】
0003690444.tif 000002
【図２】
0003690444.tif 000003
【図３】
0003690444.tif 000004
【図４】
0003690444.tif 000005
【図５】
0003690444.tif 000006
【図６】
0003690444.tif 000007
【図７】
0003690444.tif 000008
【図８】
0003690444.tif 000009
【図９】
0003690444.tif 000010
【図１０】
0003690444.tif 000011
【図１１】
0003690444.tif 000012
【図１２】
0003690444.tif 000013
【図１３】
0003690444.tif 000014
【図１４】
0003690444.tif 000015
【図１５】
0003690444.tif 000016